(57)【要約】【課題】視聴した番組とその番組に関連する番組に対して、一括で同じ設定を適応させること。【解決手段】録画されている番組タイトルに関連する情報を含む録画番組情報を管理する録画番組情報管理処理部３０１と、前記記録装置に録画されている番組タイトルを再生する再生制御処理部３０４と、前記再生制御手段により再生されている再生番組に関連する関連番組を前記番組情報から抽出する関連番組抽出処理部３０３と、前記再生番組の再生停止が行われた場合、前記再生番組および前記関連番組に関連する所定の設定を変更する一括設定処理部３０６とを具備する。【選択図】    図２
2009111756.tif 000002
【特許請求の範囲】
【請求項１】
番組タイトルを録画し、記録装置に録画された番組タイトルを再生する録画再生装置において、
前記記録装置に録画されている番組タイトルに関連する情報を含む録画番組情報を管理する録画番組情報管理手段と、
前記記録装置に録画されている番組タイトルを再生する再生制御手段と、
前記再生制御手段により再生されている再生番組に関連する関連番組を前記録画番組情報から抽出する関連番組抽出手段と、
前記再生番組の再生停止が行われた場合、前記再生番組および前記関連番組に関連する所定の設定を変更する一括設定手段と
を具備することを特徴とする録画再生装置。
【請求項２】
前記番組タイトルに関連する所定の設定とは、前記記録装置に録画されている番組タイトルを削除候補にする設定のことであることを特徴とする請求項１に記載の録画再生装置。
【請求項３】
同一シリーズの番組タイトルを自動的に録画するシリーズ録画予約手段を更に具備し、
前記再生番組は前記シリーズ録画予約手段によって録画された番組であり、前記関連番組は前記再生番組と同一シリーズの番組タイトルであることを特徴とする請求項１または請求項２のいずれか１項に記載の録画再生装置。
【請求項４】
前記一括設定手段は、前記所定の設定を前記シリーズ録画予約手段によってこれから録画される番組タイトルに対しても適応させることを特徴とする請求項３記載の録画再生装置。
【請求項５】
前記所定の設定とは、前記記録装置の容量が少なくなっても番組タイトルを自動的に削除しなくするための設定であることを特徴とする請求項１ないし請求項４のいずれか１項に記載の録画再生装置。
【請求項６】
番組タイトルを録画し、記録装置に録画された番組タイトルを再生する録画再生装置の制御方法において、
前記記録装置に録画されている番組タイトルに関連する情報を含む録画番組情報を生成し、
前記記録装置に録画されている番組タイトルを再生し、
前記再生されている再生番組に関連する関連番組を前記録画番組情報から抽出し、
前記再生番組の再生停止が行われた場合、前記再生番組および前記関連番組に関連する所定の設定を変更する
ことを特徴とする制御方法。
【請求項７】
前記番組タイトルに関連する所定の設定とは、前記記録装置に録画されている番組タイトルを削除候補にする設定のことであることを特徴とする請求項６に記載の制御方法。
【請求項８】
全記録画再生装置は、同一シリーズの番組タイトルを自動的に録画するシリーズ録画予約手段を具備し、
前記再生番組は前記シリーズ録画予約手段によって録画された番組であり、前記関連番組は前記再生番組と同一シリーズの番組タイトルであることを特徴とする請求項７または請求項８のいずれか１項に記載の制御方法。
【請求項９】
前記所定の設定を前記シリーズ録画予約手段によってこれから録画される番組タイトルに対しても適応させることを特徴とする請求項８記載の制御方法。
【請求項１０】
前記所定の設定とは、前記記録装置の容量が少なくなっても番組タイトルを自動的に削除しなくするための設定であることを特徴とする請求項６ないし請求項９のいずれか１項に記載の制御方法。
【発明の詳細な説明】
【技術分野】
【０００１】
本発明は、ハードディスク等に複数の番組を録画し、複数の録画番組の中から選択される所望の録画番組を再生する録画再生装置及び制御方法に関する。
【背景技術】
【０００２】
近年、ハードディスク等に複数の番組を録画し、再生メニューに一覧表示される複数の録画番組の中から選択される所望の録画番組を再生する番組録画再生装置の普及が目覚しい。
【０００３】
例えば、このような番組録画再生装置は、放送波により送信される番組表を表示し、この番組表から選択される所望の番組の録画を予約することができる。また、シリーズ化されている番組を自動的に録画する機能を有する装置がある。
【０００４】
また、装置の記録装置の容量には限りがあるので、記録装置の容量が不足した場合に録画されている番組を削除する機能が有り、場合によってはユーザが意図せずに番組が削除されていることがあり得る。
【０００５】
ハードディスクレコーダにおいて、録画が途中で停止、中止されてしまうことを防ぎ、また、お気に入りのコンテンツの消失を防ぐ技術が開示されている（特許文献１）。
【特許文献１】特開２００４−２０８２０４号公報
【発明の開示】
【発明が解決しようとする課題】
【０００６】
上述した自動削除機能を有する装置は、ユーザが気に入った番組は、自動的に削除されないように設定することが出来る。しかし、通常、番組毎に設定を行わなければならず、複数設定を行いたい場合に設定することが面倒である。
【０００７】
複数設定を行いたい場合、視聴して気に入った番組と関連する番組（同一シリーズの番組等）に対して設定を行いたいということがある。しかし、上述したように、番組毎に設定しなければならず、設定することが面倒である。
【０００８】
本発明の目的は、視聴した番組とその番組に関連する番組に対して、一括で同じ設定を適応させることが可能な録画再生装置および制御方法を提供することにある。
【課題を解決するための手段】
【０００９】
本発明の一例に係わる、番組タイトルを録画し、記録装置に録画された番組タイトルを再生する録画再生装置は、前記記録装置に録画されている番組タイトルに関連する情報を含む録画番組情報を管理する録画番組情報管理手段と、前記記録装置に録画されている番組タイトルを再生する再生制御手段と、前記再生制御手段により再生されている再生番組に関連する関連番組を前記番組情報から抽出する関連番組抽出手段と、前記再生番組の再生停止が行われた場合、前記再生番組および前記関連番組に関連する所定の設定を変更する一括設定手段とを具備することを特徴とする。
【発明の効果】
【００１０】
本発明によれば、視聴した番組とその番組に関連する番組に対して、一括で同じ設定を適応させることが可能になる。
【発明を実施するための最良の形態】
【００１１】
本発明の実施の形態を以下に図面を参照して説明する。
【００１２】
図１に示す情報記録再生装置１は、ＤＶＤなどの光ディスク１０とハードディスクドライブ部１４の双方に番組を録画することができる。なお、この情報記録再生装置１は、番組の録画先として、例えば半導体メモリを備えることもできる。
【００１３】
情報記録再生装置１は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクドライブ部１４を駆動し、情報の読み書きを実行する。
【００１４】
キー入力部５０は、例えば情報記録再生装置の本体上に設けた操作スイッチ類及び本体から独立したリモートコントローラである。或いは、このキー入力部５０は、情報記録再生装置と有線通信あるいは無線通信により接続されるパーソナルコンピューターであってもよい。キー入力部５０は、例えば、番組ガイド表示キー、再生キー、停止キー、決定キー、終了キー、十字キーを備えており、この十字キーは、上下キー及び左右キーを備えている。
【００１５】
また、情報記録再生装置１は、録再信号処理部２０、制御ＣＰＵ部３０を備えている。録再信号処理部２０には、チューナ部１８からの受信信号が入力される。
【００１６】
録再信号処理部２０は、エンコード処理機能と、デコード処理機能とを有する。先ず、録再信号処理部２０のエンコード処理機能について説明する。  
録再信号処理部２０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２規格に基づいて可変ビットレートで圧縮する。オーディオエンコーダは、デジタルオーディオ信号をＭＰＥＧまたはＡＣ−３規格に基づいて固定ビットレートで圧縮する。
【００１７】
録再信号処理部２０は、エンコード信号を所定のＤＶＤのフォーマットに変換する。具体的には、録再信号処理部２０は、エンコードされたデジタルビデオ信号、デジタルオーディオ信号、副映像データをパック化し、ビデオパック、オーディオパック、副映像パックを生成する。さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。
【００１８】
なお、トランスポートストリームから抽出したパケットエレメンタリーストリームが、録再信号処理部２０から直接ハードディスクドライブ部１４に記録される場合もある。
【００１９】
次に、録再信号処理部２０のデコード処理機能について説明する。録再信号処理部２０は、セパレータ、メモリ、ビデオデコーダ（主映像デコーダ及び副映像デコーダ）、オーディオデコーダ、ビデオプロセッサを備えている。セパレータは、パック構造を持つＤＶＤフォーマットの信号から各パックを分離して取り出す。メモリは、パック分離やその他の信号処理実行時に使用される。主映像デコーダは、セパレータで分離された主映像データ（ビデオパックの内容）をデコードする。副映像デコーダは、セパレータで分離された副映像データ（副映像パックの内容）をデコードする。オーディオデコーダは、セパレータで分離されたオーディオデータ（オーディオパックの内容）をデコードする。ビデオプロセッサは、デコードされた主映像にデコードされた副映像（メニュー、ハイライトボタン、字幕など）を合成する。
【００２０】
録再信号処理部２０は、ビデオ信号に、例えばテキストデータを合成して出力ビデオ信号を生成する。録再信号処理部２０から出力される出力ビデオ信号はそのまま外部へ出力され、外部（例えばモニタ７０）へ出力される。
【００２１】
録再信号処理部２０から出力されるデジタルオーディオ信号は、デジタルアナログ変換器でアナログオーディオ信号へ変換され外部（例えばスピーカ）に出力される。
【００２２】
キー入力部５０は、例えば情報記録再生装置の本体上に設けた操作スイッチ類及び本体から独立したリモートコントローラである。或いは、このキー入力部５０は、情報記録再生装置と有線通信あるいは無線通信により接続されるパーソナルコンピューターであってもよい。キー入力部５０は、例えば、番組ガイド表示キー、再生キー、停止キー、決定キー、十字キーを備えており、この十字キーは、上下キー及び左右キーを備えている。
【００２３】
制御ＣＰＵ部３０は、ＭＰＵ（マイクロプロセッシングユニット）またはＣＰＵ（セントラルプロセッシングユニット）と、制御プログラム等が書きこまれたＲＯＭとを備えている。
【００２４】
また、制御ＣＰＵ部３０にはキー入力部５０からの操作入力信号が入力される。このキー入力部５０を介しての操作入力に基づき、情報記録再生装置は、再生、停止、録画、編集などを実行する。さらに、このキー入力部５０を介しての操作入力に基づき、情報記録再生装置は、後述する次再生候補提示・再生処理なども実行する。
【００２５】
情報記録再生装置１は、プログラム実行に必要なワークエリアを提供するためのメモリ部４０を備えている。さらに、制御ＣＰＵ部３０は、録画番組情報管理処理部３０１、録画番組設定管理処理部３０２、関連番組抽出処理部３０３、再生制御処理部３０４、シリーズ録画予約処理部３０５、および一括設定処理部３０６等を備えている。
【００２６】
録画番組情報管理処理部３０１は、録再信号処理部２０によって例えばハードディスクドライブ部１４に録画される番組の属性、タイトルの保存フォルダ、および再生履歴を含む前記録画タイトルに関連する情報を管理する。管理情報は、例えばハードディスクドライブ部１４に格納されている。
【００２７】
管理情報に含まれるタイトルの属性とは、例えば録画日時、放映チャンネル、番組タイトル、話数、ジャンル、出演者、番組内容の説明等の情報である。録画番組情報管理処理部３０１は、録画タイトルがデジタル放送の場合、例えば番組を提供するＴＳ（Transport Stream）に多重されて提供されている番組配列情報から取得する。番組配列情報は、電子番組ガイドの情報を提供するために送られている。
【００２８】
録画番組設定管理処理部３０２は、ハードディスクドライブ部１４に録画された番組の設定が記述された録画番組設定を管理する。録画番組設定には、番組の再生履歴や自動削除設定等が記述されている。自動削除設定とは、ハードディスクドライブ部１４の容量が不足した場合に自動的に削除する設定である。この自動削除設定は、録画予約の設定時に設定することが出来る。本装置のデフォルトは、自動削除設定がイネーブルになっており、ハードディスクドライブ部１４の容量が不足した場合に自動的に削除する設定になっている。
【００２９】
関連番組抽出処理部３０３は、管理情報を参照し、前記番組タイトルの再生を停止した場合、再生していた番組と、同一シリーズの番組を抽出する。
【００３０】
再生制御処理部３０４は、ハードディスクドライブ部１４内の録画番組の再生処理の制御を実行する。
【００３１】
シリーズ録画予約処理部３０５は、同一シリーズの番組の録画を自動的に行うために、毎予約処理、およびシリーズ予約処理を実行する。毎予約処理は、「毎○曜日」、「月〜金」、「月〜土」という指定した周期の同一時間帯の番組を自動的に録画予約する機能を有する。また、シリーズ予約処理は、ユーザが入力したタイトルおよび条件に合致する番組を自動的に録画予約する機能を有する。
【００３２】
一括設定処理部３０６は、シリーズ録画予約処理部３０５を使って録画されたシリーズ番組中の番組タイトルを視聴し、視聴が終わった場合に、録画済み或いはこれから録画されるシリーズ番組中の番組に対して、自動削除設定を変更したりする機能を有する。以下に、この機能について説明する。
【００３３】
タイトル再生中に、タイトルの終了地点に達した または ユーザが再生停止処理を実施した場合、図２に示すような選択メニュー画面が表示される。
【００３４】
選択メニュー画面には、視聴していた番組のタイトル名と共に、「同一シリーズの自動削除解除」、「同一シリーズ録画の自動削除解除」、「同一シリーズを全てゴミ箱へ」、および「ゴミ箱へ」の四つの選択肢が表示される。選択メニュー画面Ｄ２がモニタ７０に表示された状態での上下キーの操作（押下）に対応して、各選択肢上をカーソルが移動する。所望の選択肢にカーソルが位置した状態での決定キーの操作（押下）に対応して、所望の選択肢が選択され、選択された選択肢に応じた処理が実行される。
【００３５】
「同一シリーズの自動削除解除」を選択決定すると、録画されハードディスクドライブ部１４に保存されている同一シリーズの番組の全ての自動削除の属性が“自動削除しない”の設定に変更される。
【００３６】
また、「同一シリーズ録画の自動削除解除」を選択決定すると、これから予約される同一シリーズの全番組が“自動削除しない”の設定に変更される。
【００３７】
また、「同一シリーズを全てゴミ箱へ」を選択決定すると、録画されハードディスクドライブ部１４に保存されている同一シリーズの全番組に対して仮削除処理が実行される。具体的には、一括設定処理部３０６は、同一シリーズの全番組をゴミ箱フォルダへ移動させる。ゴミ箱フォルダに集められた番組ファイルは、ゴミ箱フォルダ内のデータを空にする操作により、一括削除できる。
【００３８】
また、「ゴミ箱へ」を選択決定すると、視聴していた番組に対して仮削除処理が実行される。具体的には、一括設定処理部３０６は、視聴していた番組をゴミ箱フォルダへ移動させる。ゴミ箱フォルダに集められた番組ファイルは、ゴミ箱フォルダ内のデータを空にする操作により、一括削除できる。
【００３９】
一括設定処理部３０６は、録画番組情報の保存フォルダの内容を書き換えると共に、元々保存されていたフォルダの情報を録画番組情報に付加する。
【００４０】
なお、「ゴミ箱へ」を選択決定すると、図３に示す選択メニュー画面がモニタ７０に表示される。図３に示す選択メニュー画面には、タイトル名と共に、「同一シリーズの自動削除解除」、「同一シリーズ録画の自動削除解除」、および「ゴミ箱から出す」の三つの選択肢が表示される。選択メニュー画面Ｄ２がモニタ７０に表示された状態での上下キーの操作（押下）に対応して、各選択肢上をカーソルが移動する。所望の選択肢にカーソルが位置した状態での決定キーの操作（押下）に対応して、所望の選択肢が選択され、選択された選択肢に応じた処理が実行される。
【００４１】
「同一シリーズの自動削除解除」、および「同一シリーズ録画の自動削除解除」の選択決定時の処理は、先に説明しているので説明を省略する。
【００４２】
「ゴミ箱から出す」を選択決定すると、仮削除処理のキャンセル処理が実行される。具体的には、一括設定処理部３０６は、視聴していた番組をゴミ箱フォルダから元のフォルダへ移動させる。
【００４３】
次に、選択メニュー画面が表示された場合の画面遷移（動作）を図４に示す。
【００４４】
続いて、所望の再生番組が再生された状態（図４の画面Ｄ１）で、［停止］キーが操作（押下）されると、図２および図４に示す選択メニュー画面Ｄ２が表示される。
【００４５】
図２及び図４に示すように、選択メニュー画面Ｄ２には、複数の選択肢が表示される。例えば、選択メニュー画面Ｄ２には、「同一シリーズの自動削除解除」、「同一シリーズ録画の自動削除解除」、「同一シリーズを全てゴミ箱へ」、および「ゴミ箱へ」等の選択肢が表示される。選択メニュー画面Ｄ２がモニタ７０に表示された状態での上下キーの操作（押下）に対応して、各選択肢上をカーソルが移動する。所望の選択肢にカーソルが位置した状態での決定キーの操作（押下）に対応して、所望の選択肢が選択される。
【００４６】
なお、選択メニュー画面Ｄ２が表示された状態で一定時間が経過した場合、若しくは［終了］キーが操作（押下）されると、選択メニュー画面Ｄ２の表示が終了し再生停止画面Ｄ８が表示される。
【００４７】
所望の選択肢が選択された場合について説明する。例えば、「同一シリーズの自動削除解除」が選択されると、一括設定処理部３０６は、関連番組抽出処理部３０３が抽出した同一シリーズの番組の録画番組設定の“自動削除設定”をディスイネーブルする。“自動削除設定”をディスイネーブルにすることで、ハードディスクドライブ部１４の容量が不足していても、自動削除の対象とならずに同一シリーズの番組が保護される。
【００４８】
そして、一括設定処理部３０６は、「同一シリーズの自動削除を解除しました」の案内をモニタ７０に表示する（図４に示す画面Ｄ３）。画面Ｄ３が一定時間表示された後、一括設定処理部３０６は、選択メニュー画面Ｄ２を表示する。
【００４９】
また、「同一シリーズ録画の自動削除解除」が選択されと、一括設定処理部３０６は、「同一シリーズ録画の自動削除解除」の設定を行って良いか確認するための画面Ｄ４をモニタ７０に表示する。画面Ｄ４中において、左右キーの操作（押下）におうじて、［Ｙｅｓ］、または［Ｎｏ］がフォーカス表示される。
【００５０】
［Ｙｅｓ］がフォーカス表示された状態で［決定］キーが操作（押下）されると、一括設定処理部３０６は、シリーズ録画予約処理部３０５によって自動的に録画される同一シリーズの番組予約の設定の自動削除設定しないようにする。番組予約の設定を“自動削除設定しない”とすることで、録画され番組の録画番組設定中の“自動削除設定”がディスイネーブルになる。
【００５１】
そして、設定処理が終了すると、一括設定処理部３０６は、「同一シリーズ録画予約の自動削除を解除しました」の案内をモニタ７０に表示する（図４に示す画面Ｄ５）。画面Ｄ５が一定時間表示された後、一括設定処理部３０６は、選択メニュー画面Ｄ２を表示する。
【００５２】
また、「同一シリーズを全てゴミ箱へ」が選択決定されと、一括設定処理部３０６は、録画されハードディスクドライブ部１４に保存されている同一シリーズの全番組に対して仮削除処理を実行する。具体的には、一括設定処理部３０６は、同一シリーズの全番組をゴミ箱フォルダへ移動させる。ゴミ箱フォルダに集められた番組ファイルは、ゴミ箱フォルダ内のデータを空にする操作により、一括削除できる。
【００５３】
仮削除処理が終了すると、一括設定処理部３０６は、「同一シリーズを全てゴミ箱に移動しました」の案内をモニタ７０に表示する（図４に示すＤ６）。画面Ｄ６が一定時間表示された後、一括設定処理部３０６は、選択メニュー画面Ｄ２を表示する。
【００５４】
また、「ゴミ箱へ」が選択されと、一括設定処理部３０６は、視聴していた番組に対して仮削除処理を実行する。具体的には、一括設定処理部３０６は、視聴していた番組をゴミ箱フォルダへ移動させる。
【００５５】
仮削除処理が終了すると、「削除処理対象（番組名）をゴミ箱に移動しました」の案内をモニタ７０に表示する（図４に示すＤ７）。画面Ｄ７が一定時間表示された後、一括設定処理部３０６は、図３および図５に示す選択メニュー画面Ｄ１２を表示する。
【００５６】
図３及び図５に示すように、選択メニュー画面Ｄ１２には、複数の選択肢が表示される。例えば、選択メニュー画面Ｄ２には、「同一シリーズの自動削除解除」、「同一シリーズ録画の自動削除解除」、および「ゴミ箱から出す」等の選択肢が表示される。選択メニュー画面Ｄ２がモニタ７０に表示された状態での上下キーの操作（押下）に対応して、各選択肢上をカーソルが移動する。所望の選択肢にカーソルが位置した状態での決定キーの操作（押下）に対応して、所望の選択肢が選択される。
【００５７】
なお、選択メニュー画面Ｄ２が表示された状態で一定時間が経過した場合、若しくは［終了］キーが操作（押下）されると、選択メニュー画面Ｄ２の表示が終了し再生停止画面Ｄ８が表示される。
【００５８】
所望の選択肢が選択された場合について説明する。「同一シリーズの自動削除解除」、および「同一シリーズ録画の自動削除解除」が選択された場合の処理は、図４を参照して説明した場合と同様なのでその説明を省略する。
【００５９】
「ゴミ箱から出す」が選択されると、一括設定処理部３０６は、仮削除処理のキャンセル処理を実行する。具体的には、一括設定処理部３０６は、録画番組情報を参照して元のフォルダを確認し、視聴していた番組をゴミ箱フォルダから元のフォルダへ移動させる。そして、一括設定処理部３０６は、録画番組情報の保存フォルダの内容を変更する。
【００６０】
仮削除処理のキャンセル処理が終了すると、一括設定処理部３０６は、［処理対象番組（番組名）をゴミ箱から移動しました」の案内をモニタ７０に表示する（図５に示す画面Ｄ１７）。画面Ｄ１７を一定時間表示した後、一括設定処理部３０６は、選択メニュー画面Ｄ２を表示する。
【００６１】
以上の処理で、視聴していた番組と同一シリーズの番組に対して同じ設定を適応させることが出来る。
【００６２】
ところで、画面Ｄ２，Ｄ１２に示したように、「ゴミ箱へ」、「ゴミ箱から出す」が選択され、対応する処理が行われた後に画面に表示される内容が異なる。具体的には、「ゴミ箱へ」と「ゴミ箱から出す」とがサイクリックに表示される。次に、再生停止したタイトルを、ゴミ箱へ／ゴミ箱から出すがサイクリックに選択できるようにするための処理（画面表示）の手順を図６のフローチャートを参照して説明する。
【００６３】
先ず、選択メニュー画面を表示する処理になったら、再生番組が保存フォルダがゴミ箱であるか否かを判別する（ステップＳ１１）。ゴミ箱ではないと判断した場合（ステップＳ１１のＮｏ）、図２に示す選択メニュー画面Ｄ２をモニタ７０に表示する（ステップＳ１２）。続いて、「ゴミ箱へ」が選択されたか否かを判別する（ステップＳ１３）。選択されたと判断した場合（ステップＳ１３のＹｅｓ）、再生番組の仮削除処理を実行し、再生番組をゴミ箱に移動させる（ステップＳ１４）。そして、図４の画面Ｄ３に示す「処理対象番組(番組名)をゴミ箱に移動しました」との案内をモニタ７０に表示する（ステップＳ１５）。
【００６４】
ステップＳ１１において、ゴミ箱であると判断した場合（ステップＳ１１のＹｅｓ）、図３に示す選択メニュー画面Ｄ１２をモニタ７０に表示する（ステップＳ２２）。そして、「ゴミ箱から出す」が選択されたか否かを判別する（ステップＳ２３）。選択されたと判断した場合（ステップＳ２３のＹｅｓ）、仮削除処理のキャンセル処理を実行し、再生番組をゴミ箱からだし、元のフォルダに移動させる（ステップＳ２４）。そして、［処理対象番組（番組名）をゴミ箱から移動しました」の案内をモニタ７０に表示する（図５に示す画面Ｄ１７）。
【００６５】
以上の処理で、「ゴミ箱へ」を含む選択メニュー画面Ｄ２と「ゴミ箱から出す」を含む選択メニュー画面Ｄ１２とがサイクリックに表示される。
【００６６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６７】
【図１】本発明の一実施形態に係る情報記録再生装置（録画再生装置）の概略構成を示すブロック図。
【図２】選択メニュー画面の第一例を示す図。
【図３】選択メニュー画面の第一例を示す図。
【図４】画面遷移の一例を示す図。
【図５】画面遷移の一例を示す図。
【図６】ゴミ箱へ／ゴミ箱から出すがサイクリックに選択できるようにするための処理（画面表示）の手順を示す図。
【符号の説明】
【００６８】
１…情報記録再生装置，１０…光ディスク，１２…ディスクドライブ部，１４…ハードディスクドライブ部，１８…チューナ部，２０…録再信号処理部，３０…ＣＰＵ部，４０…メモリ部，５０…キー入力部，７０…モニタ７０，３０１…録画番組情報管理処理部，３０２…録画番組設定管理処理部，３０３…関連番組抽出処理部，３０４…再生制御処理部，３０５…シリーズ録画予約処理部，３０６…一括設定処理部。
【図１】
2009111756.tif 000003
【図２】
2009111756.tif 000004
【図３】
2009111756.tif 000005
【図４】
2009111756.tif 000006
【図５】
2009111756.tif 000007
【図６】
2009111756.tif 000008